(57)【要約】      （修正有）【課題】みじん切りした食材などのサイズの小さい物を多量に掴み上げることを可能にするトングを提供する。【解決手段】トング２００の一対の把手部２１０の各先端には掴み部２２０が下方に向けて形成されており、掴み部の各下縁２２０Ａはそれぞれ下方に湾曲しており、一対の掴み部が相互に接した状態において双方の下縁も隙間無く当接する。【選択図】図１
0003190609.tif 000002
【実用新案登録請求の範囲】
【請求項１】
それぞれの先端が相互に間隔が開くように形成されているとともに、相互に遠ざかる方向に作用する弾性力を有する一対の把手部を備えるトングにおいて、
前記一対の把手部のそれぞれの先端には掴み部が形成されており、
前記掴み部は前記一対の把手部が延びる方向に対して下方に延びており、
前記掴み部の下縁はそれぞれ対向する掴み部の下縁に向かって湾曲しており、前記一対の掴み部が相互に接した状態においては双方の下縁は隙間無く相互に当接することを特徴とするトング。
【請求項２】
前記掴み部の前記下縁は前記一対の把手部の基端側から先端側に向かって斜め上方に延びていることを特徴とする請求項１に記載のトング。
【請求項３】
前記一対の掴み部の各々には前記一対の掴み部の基端側において前記一対の把手部の基端側から先端側に向かう切り込みが形成されていることを特徴とする請求項１または２に記載のトング。
【考案の詳細な説明】
【技術分野】
【０００１】
本考案はトングに関する。
【背景技術】
【０００２】
従来のトングの一例として実用新案登録第３１１００３６号の登録実用新案公報に記載されているトングを図４に示す。
【０００３】
図４に示すトング１００は弾力性を有するステンレス製であり、Ｕ字型の把手部１０１と、把手部１０１の各先端に形成された挟み持ち部１０２とから構成されている。
【０００４】
各挟み持ち部１０２は平板状に形成され、その先端１０３は直線状に形成されている。
【先行技術文献】
【特許文献】
【０００５】
【特許文献１】実用新案登録第３１１００３６号公報
【考案の開示】
【考案が解決しようとする課題】
【０００６】
図４に示したトング１００によれば、各挟み持ち部１０２の先端１０３が直線状に形成されているため、皿の表面に先端１０３を密着させて、皿の表面に密着している物を掴み取ることが可能になる。
【０００７】
しかしながら、図４に示したトング１００は、みじん切りした食材などのサイズの小さい物をある程度の量は掴み上げることは可能であるが、多量に掴み上げることは不可能であった。
【０００８】
本考案はこのような従来のトングにおける問題点に鑑みてなされたものであり、みじん切りした食材などのサイズの小さい物を多量に掴み上げることを可能にするトングを提供することを目的とする。
【課題を解決するための手段】
【０００９】
上記の目的を達成するため、本考案は、それぞれの先端が相互に間隔が開くように形成されているとともに、相互に遠ざかる方向に作用する弾性力を有する一対の把手部を備えるトングにおいて、前記一対の把手部のそれぞれの先端には掴み部が形成されており、前記掴み部は前記一対の把手部が延びる方向に対して下方に延びており、前記掴み部の下縁はそれぞれ対向する掴み部の下縁に向かって湾曲しており、前記一対の掴み部が相互に接した状態においては双方の下縁は隙間無く相互に当接することを特徴とするトングを提供する。
【００１０】
前記掴み部の前記下縁は前記一対の把手部の基端側から先端側に向かって斜め上方に延びていることが好ましい。
【００１１】
前記一対の掴み部の各々には前記一対の掴み部の基端側において前記一対の把手部の基端側から先端側に向かう切り込みが形成されていることが好ましい。
【考案の効果】
【００１２】
本考案に係るトングにおいては、一対の掴み部の各下縁はそれぞれ対向する掴み部の下縁に向かって湾曲しているため、一対の掴み部の各下縁が相互に接した状態（後述する図２に示す状態）においては双方の下縁は隙間無く相互に当接する。すなわち、一対の掴み部を相互に閉じた状態においては、一対の掴み部の各下縁が相互に接触するため、一対の掴み部は底部が閉じた空間（後述する図２を参照）を形成する。この空間にみじん切りした食材を貯留することが可能であるため、本考案に係るトングを用いることにより、空間の大きさに応じて、みじん切りした食材などのサイズの小さい物を多量に掴み上げることができる。
【００１３】
さらに、本考案に係るトングをテーブルなどの上に置く場合、一対の把手部の基端と一対の掴み部の下端（図１参照）のみがテーブルに接触し、一対の掴み部の全体がテーブルに触れることはないため、トングを衛生的にテーブル上に置くことが可能である。
【００１４】
さらに、一対の把手部の基端側から先端側に向かう切り込みを一対の掴み部の各々に形成することにより、例えば、大皿やボールの縁に切り込みを引っ掛けておくことができるため、トングをテーブルの上に置くことは不要となり、トングを衛生的に使用することが可能になるとともに、大皿やボールの中の食材を取るときにトングが近くにあるため、トングの使用利便性を向上させることもできる。
【図面の簡単な説明】
【００１５】
【図１】本考案の第一の実施形態に係るトングの斜視図である。
【図２】本考案の第一の実施形態に係るトングの部分的な正面図である
【図３】本考案の第二の実施形態に係るトングの斜視図である。
【図４】従来のトングの斜視図である。
【考案を実施するための形態】
【００１６】
（第一の実施形態）
図１は本考案の第一の実施形態に係るトング２００の斜視図である。
【００１７】
本実施形態に係るトング２００は上方から見てほぼＵ字型をなしている一対の把手部２１０を備えている。すなわち、一対の把手部２１０は基端２１１を中心としてそれぞれの先端が相互に間隔が開くように形成されている。
【００１８】
トング２００はステンレスその他の弾力性を有する素材でつくられている。このため、基端２１１を中心として先端が相互に接触する方向に一対の把手部２１０に対して力を作用させると、一対の把手部２１０にはそれらの各先端を相互に遠ざける方向に反発力として弾性力が作用する。
【００１９】
一対の把手部２１０のそれぞれの先端には掴み部２２０が形成されている。
【００２０】
各掴み部２２０は一対の把手部２１０が延びる方向すなわち一対の把手部２１０の長さ方向Ｘに対して下方向Ｙに延びるように形成されている。
【００２１】
各掴み部２２０の下縁２２０Ａは一対の把手部２１０の基端２１１側から先端側に向かって斜め上方に延びる曲線形状をなしている。
【００２２】
図２は各掴み部２２０を相互に接触させた状態におけるＡ方向から見た部分的な正面図である。
【００２３】
図２に示すように、各掴み部２２０の下縁２２０Ａはそれぞれ対向する掴み部２２０の下縁２２０Ａに向かって円弧状に湾曲している。このため、一対の掴み部２２０の各下縁２２０Ａが相互に接した状態（図２に示す状態）においては双方の下縁２２０Ａは隙間無く相互に当接する。
【００２４】
以上のような構造を有する本実施形態に係るトング２００によれば、一対の掴み部２２０を相互に閉じた状態においては、一対の掴み部２２０の各下縁２２０Ａが相互に接触するため、一対の掴み部２２０は底部が閉じた空間２２１（図２参照）を形成する。この空間２２１にみじん切りした食材２３０を貯留することが可能であるため、トング２００を用いることにより、空間２２１の大きさに応じて、みじん切りした食材２３０などのサイズの小さい物を多量に掴み上げることができる。
【００２５】
さらに、トング２００をテーブルなどの上に置く場合、一対の把手部２１０の基端２１１と一対の掴み部２２０の下端２２０Ｂ（図１参照）のみがテーブルに接触し、一対の掴み部２２０の全体がテーブルに触れることはないため、トング２００を衛生的にテーブル上に置くことが可能である。
【００２６】
（第二の実施形態）
図３は本考案の第二の実施形態に係るトング３００の斜視図である。
【００２７】
本実施形態に係るトング３００は第一の実施形態に係るトング２００と比較して一対の掴み部の形状が異なっており、この点を除いて、本実施形態に係るトング３００は第一の実施形態に係るトング２００と同一の構造を有している。
【００２８】
図３に示すように、本実施形態に係るトング３００の一対の掴み部３２０の各々には切り込み３２１が形成されている。切り込み３２１は、一対の掴み部３２０の基端側において、一対の把手部の長さ方向Ｘに沿って一対の把手部の基端側から先端側に向かうように形成されており、ほぼＵ字型形状をなしている。
【００２９】
このような切り込み３２１を形成することにより、例えば、大皿やボールの縁に切り込み３２１を引っ掛けておくことができるため、トング３００をテーブルの上に置くことは不要となり、トング３００を衛生的に使用することが可能になるとともに、大皿やボールの中の食材を取るときにトング３００が近くにあるため、トング３００の使用利便性を向上させることもできる。
【符号の説明】
【００３０】
２００  第一の実施形態に係るトング
２１０  把手部
２２０  掴み部
２２１  空間
２３０  食材
３００  第二の実施形態に係るトング
３２０  掴み部
３２１  切り込み
【図１】
0003190609.tif 000003
【図２】
0003190609.tif 000004
【図３】
0003190609.tif 000005
【図４】
0003190609.tif 000006